(57)【要約】【課題】原稿読み取り時に発生するメタメリズムに対応した色変換を図ること。【解決手段】指定された原稿の種類に関する情報に基づき画像処理を行う画像処理ユニット１１１と、画像処理の制御を行うシステム制御ユニット２０３と、を備え、画像処理ユニット１１１は原稿を読み取って、所定の色空間で表現された画像信号を生成し、１次元ＬＵＴ（ルック・アップ・テーブル）変換処理を施す１次元ＬＵＴ部２１２と、１次元ＬＵＴ変換された画像信号に２次元空間フィルタ処理を施すフィルタ処理部２３１と、２次元空間フィルタ処理が施された画像信号にマスキング処理を施す線形マスキング部２３２と、マスキング処理が施された画像信号に３次元ＬＵＴ変換処理を施す３次元ＬＵＴ部２３３と、を備える。【選択図】        図２
2006279100.tif 000002
【特許請求の範囲】
【請求項１】
原稿の種類に関する情報を指定する指定手段と、
前記指定手段により指定された原稿の種類に関する情報に基づき画像処理を行う画像処理手段と、
前記画像処理の制御を行う制御手段と、を備え、
前記画像処理手段は、
前記原稿を読み取って、所定の色空間で表現された画像信号を生成する画像信号生成手段と、
前記画像信号生成手段により生成された前記画像信号に１次元ＬＵＴ（ルック・アップ・テーブル）変換処理を施す１次元ＬＵＴ変換手段と、
前記１次元ＬＵＴ変換手段により変換された前記画像信号に２次元空間フィルタ処理を施す空間フィルタ処理手段と、
前記空間フィルタ処理手段により２次元空間フィルタ処理が施された前記画像信号にマスキング処理を施す線形マスキング処理手段と、
前記線形マスキング処理手段によりマスキング処理が施された前記画像信号に３次元ＬＵＴ（ルック・アップ・テーブル）変換処理を施す３次元ＬＵＴ変換手段と、
を備えることを特徴とする画像処理装置。
【請求項２】
前記線形マスキング処理手段は、
前記画像信号の色相領域に基づいてマスキング処理を施すことを特徴とする請求項１に記載の画像処理装置。
【請求項３】
原稿の種類に関する情報を指定する指定工程と、
前記指定工程により指定された原稿の種類に関する情報に基づき画像処理を行う画像処理工程と、
前記画像処理の制御を行う制御工程と、を含み、
前記画像処理工程は、
前記原稿を読み取って、所定の色空間で表現された画像信号を生成する画像信号生成工程と、
前記画像信号生成工程により生成された前記画像信号に１次元ＬＵＴ（ルック・アップ・テーブル）変換処理を施す１次元ＬＵＴ変換工程と、
前記１次元ＬＵＴ変換工程により変換された前記画像信号に２次元空間フィルタ処理を施す空間フィルタ処理工程と、
前記空間フィルタ処理工程により２次元空間フィルタ処理が施された前記画像信号にマスキング処理を施す線形マスキング処理工程と、
前記線形マスキング処理工程によりマスキング処理が施された前記画像信号に３次元ＬＵＴ（ルック・アップ・テーブル）変換処理を施す３次元ＬＵＴ変換工程と、
を含むことを特徴とする画像処理方法。
【請求項４】
前記線形マスキング処理工程は、
前記画像信号の色相領域に基づいてマスキング処理を施すことを特徴とする請求項３に記載の画像処理方法。
【請求項５】
請求項３または４に記載の画像処理方法をコンピュータに実行させることを特徴とする画像処理プログラム。
【発明の詳細な説明】
【技術分野】
【０００１】
この発明は、読み取った原稿に関する画像信号を変換する画像処理装置、画像処理方法および画像処理プログラムに関する。
【背景技術】
【０００２】
従来、スキャナなどから入力される画像信号を、モニタやプリンタなどで出力する際には、入出力機器の特性によって、入力画像と出力画像の色がマッチングしないことが多い。そのため、入出力機器に合わせた画像信号の変換が必要となっている。
【０００３】
一般的に、原稿を読み取って得た画像信号を記録、保存、出力などのための画像信号に変換する画像処理装置では、３次元ＬＵＴ（ルック・アップ・テーブル）を用いた方法が知られている（例えば、下記特許文献１、２参照。）。３次元ＬＵＴは、所定の間隔で区切られた３次元テーブルであり、各格子点上に変換後の値が存在するものである。画像処理装置は、画像信号の変換にこの３次元ＬＵＴを用いて、入力点を囲む複数の格子点から線形補間を実施し、出力値を算出することができる。
【０００４】
【特許文献１】特開２００１−２７５００２号公報
【特許文献２】特開２００２−１７１４１８号公報
【発明の開示】
【発明が解決しようとする課題】
【０００５】
しかしながら、上記３次元ＬＵＴを用いた画像信号の変換方法は、一般に色変換が正確とされているが、そのデータ量は多い。そのため、原稿の種類（使用されている色材）により異なる色であっても同じ画像信号としてしまうような、いわゆるメタメリズムに対応した３次元ＬＵＴに書換えることは困難であり、メタメリズムには対応できないという問題点を有していた。
【０００６】
この発明は、上述した従来技術による問題点を解消するため、原稿読み取り時に発生するメタメリズムにも対応した色変換のできる画像処理装置、画像処理方法および画像処理プログラムを提供することを目的とする。
【課題を解決するための手段】
【０００７】
上述した課題を解決し、目的を達成するため、請求項１の発明にかかる画像処理装置は、原稿の種類に関する情報を指定する指定手段と、前記指定手段により指定された原稿の種類に関する情報に基づき画像処理を行う画像処理手段と、前記画像処理の制御を行う制御手段と、を備え、前記画像処理手段は、前記原稿を読み取って、所定の色空間で表現された画像信号を生成する画像信号生成手段と、前記画像信号生成手段により生成された前記画像信号に１次元ＬＵＴ（ルック・アップ・テーブル）変換処理を施す１次元ＬＵＴ変換手段と、前記１次元ＬＵＴ変換手段により変換された前記画像信号に２次元空間フィルタ処理を施す空間フィルタ処理手段と、前記空間フィルタ処理手段により２次元空間フィルタ処理が施された前記画像信号にマスキング処理を施す線形マスキング処理手段と、前記線形マスキング処理手段によりマスキング処理が施された前記画像信号に３次元ＬＵＴ（ルック・アップ・テーブル）変換処理を施す３次元ＬＵＴ変換手段と、を備えることを特徴とする。
【０００８】
この請求項１の発明によれば、原稿の種類に関する情報を指定して、指定した原稿の種類に基づいて、画像信号生成、１次元ＬＵＴ変換処理、２次元空間フィルタ処理、マスキング処理、３次元ＬＵＴ変換処理の各画像処理を実施できるため、３次元ＬＵＴにより正確な色再現が可能で、かつ、３次元ＬＵＴを書換えることなくメタメリズムにも対応できる画像処理装置を提供することができる。
【０００９】
また、請求項２の発明にかかる画像処理装置は、請求項１に記載の発明において、前記線形マスキング処理手段は、前記画像信号の色相領域に基づいてマスキング処理を施すことを特徴とする。
【００１０】
この請求項２の発明によれば、原稿を読み取って得られた画像信号の色相領域に基づいてマスキング処理を施すため、メタメリズムへの対応が詳細となり、より正確に色再現をすることができる。
【００１１】
また、請求項３の発明にかかる画像処理方法は、原稿の種類に関する情報を指定する指定工程と、前記指定工程により指定された原稿の種類に関する情報に基づき画像処理を行う画像処理工程と、前記画像処理の制御を行う制御工程と、を含み、前記画像処理工程は、前記原稿を読み取って、所定の色空間で表現された画像信号を生成する画像信号生成工程と、前記画像信号生成工程により生成された前記画像信号に１次元ＬＵＴ（ルック・アップ・テーブル）変換処理を施す１次元ＬＵＴ変換工程と、前記１次元ＬＵＴ変換工程により変換された前記画像信号に２次元空間フィルタ処理を施す空間フィルタ処理工程と、前記空間フィルタ処理工程により２次元空間フィルタ処理が施された前記画像信号にマスキング処理を施す線形マスキング処理工程と、前記線形マスキング処理工程によりマスキング処理が施された前記画像信号に３次元ＬＵＴ（ルック・アップ・テーブル）変換処理を施す３次元ＬＵＴ変換工程と、を含むことを特徴とする。
【００１２】
この請求項３の発明によれば、原稿の種類に関する情報を指定して、指定した原稿の種類に基づいて、画像信号生成、１次元ＬＵＴ変換処理、２次元空間フィルタ処理、マスキング処理、３次元ＬＵＴ変換処理の各画像処理を実施できるため、３次元ＬＵＴにより正確な色再現が可能で、かつ、３次元ＬＵＴを書換えることなくメタメリズムにも対応できる画像処理方法を提供することができる。
【００１３】
また、請求項４の発明にかかる画像処理方法は、請求項３に記載の発明において、前記線形マスキング処理工程は、前記画像信号の色相領域に基づいてマスキング処理を施すことを特徴とする。
【００１４】
この請求項４の発明によれば原稿を読み取って得られた画像信号の色相領域に基づいてマスキング処理を施すため、メタメリズムへの対応が詳細となり、より正確に色再現をすることができる。
【００１５】
また、請求項５の発明にかかる画像処理プログラムは、請求項３または４に記載の画像処理方法をコンピュータに実行させることを特徴とする。
【００１６】
この請求項５の発明によれば、請求項３または４に記載の画像処理方法をコンピュータに実行させることができる。
【発明の効果】
【００１７】
本発明にかかる画像処理装置、画像処理方法および画像処理プログラムによれば、原稿読み取り時に発生するメタメリズムに対応した色変換をすることができるため、読み取り原稿に対して正確な色再現を図ることができるという効果を奏する。
【００１８】
また、入力画像信号の色相領域に基づいてマスキング処理を行うことができるため、メタメリズムへの詳細な対応を図ることができるという効果を奏する。
【発明を実施するための最良の形態】
【００１９】
以下に添付図面を参照して、この発明にかかる画像処理装置、画像処理方法および画像処理プログラムの好適な実施の形態を詳細に説明する。
【００２０】
（実施の形態）
図１は、本発明の実施の形態にかかるカラー複写機の側断面を示す図である。本発明はカラー複写機１００に限るものではなく、例えばスキャナやファクシミリや複写機などの画像処理装置でもよい。
【００２１】
本発明の実施の形態にかかるカラー複写機１００は、主に、原稿を読み取るスキャナユニット１０１と、記録紙１２１ａ、１２１ｂに画像を記録するプリンタユニット１０２と、画像処理ユニット１１１と、を含み構成されている。
【００２２】
スキャナユニット１０１は、プラテン１０４と、ハロゲンランプ１０５ａ、１０５ｂと、第１ミラー１０６と、第２ミラー１０７と、第３ミラー１０８と、レンズ１０９と、ＣＣＤ（Ｃｈａｒｇｅ  Ｃｏｕｐｌｅｄ  Ｄｅｖｉｃｅ）１１０と、を有している。
【００２３】
また、プリンタユニット１０２は、ポリゴンミラー１１２と、ｆθレンズ１１３と、第４ミラー１１４と、感光体ドラム１１５と、ポリゴンモータ１１６と、帯電チャージャ１１７と、現像ユニット１１８と、転写ベルト１１９と、給紙カセット１２０ａ、１２０ｂと、記録紙１２１ａ、１２１ｂと、給紙コロ１２２ａ、１２２ｂと、レジストローラ１２３ａ、１２３ｂと、転写チャージャ１２４と、熱定着ユニット１２５ａ、１２５ｂと、クリーニングユニット１２６、１２７と、を有している。
【００２４】
原稿１０３は、スキャナユニット１０１のプラテン１０４上の所定の位置に置かれ、ハロゲンランプ１０５ａおよび１０５ｂにより照明されている。原稿１０３からの反射光は、第１ミラー１０６、第２ミラー１０７、第３ミラー１０８およびレンズ１０９を経てカラーラインイメージセンサであるＣＣＤ１１０に結像され、ＣＣＤ１１０により画像信号に光電変換される。ここで、ハロゲンランプ１０５ａおよび１０５ｂ並びに第１ミラー１０６は、不図示の第１キャリッジに搭載されている。また、第２ミラー１０７および第３ミラー１０８は、不図示の第２キャリッジに搭載されている。そして、原稿１０３の読み取り時には、不図示のキャリッジ駆動モータにより第１キャリッジおよび第２キャリッジが所定の速度比で左から右へ移動する。第１キャリッジと第２キャリッジの移動により、プラテン１０４上に置かれた原稿１０３の全面が走査される。
【００２５】
ＣＣＤ１１０で光電変換された画像信号は、画像処理ユニット１１１などで各種処理（図２参照）を施された後、プリンタユニット１０２の不図示のＬＤ（レーザ・ダイオード）に入力され、レーザ光に変換される。
【００２６】
プリンタユニット１０２のＬＤから出射されたレーザ光は、ポリゴンミラー１１２で反射され、ｆθレンズ１１３および第４ミラー１１４を経て、反時計方向に回転している感光体ドラム１１５上に結像照射される。ここで、ポリゴンミラー１１２はポリゴンモータ１１６の回転軸に固着されており、ポリゴンモータ１１６は一定速度で回転してポリゴンミラー１１２を回転駆動している。また、ポリゴンミラー１１２の回転により、上述のレーザ光は感光体ドラム１１５の回転移動方向と垂直な方向、即ち感光体ドラム１１５軸に沿う方向に走査される。
【００２７】
感光体ドラム１１５の表面は、不図示の高圧発生装置に接続された帯電チャージャ１１７により、あらかじめ一様な負電位に帯電されている。また、レーザ光が感光体ドラム１１５に照射されると、光導電現象で表面の電荷がドラム本体の機器アースに流れて消滅する。ここで、原稿濃度の淡い部分はＬＤを強く点灯し、原稿濃度の濃い部分はＬＤを弱く点灯する。これにより感光体ドラム１１５の表面には、ポリゴンミラー１１２による主走査と感光体ドラム１１５の回転による副走査と、に基づいて原稿１０３の濃淡に応じた静電潜像が形成される。
【００２８】
現像ユニット１１８は、ブラック、シアン、マゼンタおよびイエローの負帯電したトナーをそれぞれ収容する現像部Ｋ（ｂｌａｃＫ）、Ｃ（Ｃｙａｎ）、Ｍ（Ｍａｇｅｎｔａ）およびＹ（Ｙｅｌｌｏｗ）を有している。各現像部は、不図示の高圧発生装置により所定の負電位にバイアスされ、上記静電潜像を現像して、原稿１０３の濃淡に応じたトナー像を感光体ドラム１１５の表面に形成する。
【００２９】
転写ベルト１１９は、不図示の高圧発生装置により所定の正電位にバイアスされており、感光体ドラム１１５と同速度で時計方向に回転している。また上記トナー像は、感光体ドラム１１５と転写ベルト１１９が接近する間に、バイアスの作用により引き寄せられて転写ベルト１１９の表面に転写される。
【００３０】
ここで、原稿１０３の読み取りは１回、静電潜像の形成、トナー像の転写動作は、必要な回数繰り返される。本実施の形態において、フルカラーモードの場合は４回行われ、それぞれＫ、Ｃ、ＭおよびＹの順で現像部が選択され、形成されたトナー像は位置合わせをした上で、転写ベルト１１９の表面で重ね合わされる。またブラック、シアン、マゼンタおよびイエローの各モードの場合は１回だけ行われ、それぞれ現像部Ｋ、Ｃ、ＭおよびＹが選択される。また、レッド、グリーンおよびブルーの各モードの場合は２回だけ行われ、それぞれＭとＹ、ＣとＹおよびＣとＭの順で現像部が選択される。また、原稿色、登録色および２色モードの場合は、指定された色に応じて必要となる回数の動作と対応する現像部の選択が行われる。
【００３１】
一方、給紙カセット１２０ａおよび１２０ｂにはそれぞれ記録紙１２１ａおよび１２１ｂが収納されており、原稿１０３の種類やユーザの選択などに基づいて、どちらかの給紙カセット１２０ａまたは１２０ｂが選択されている。例えば、給紙カセット１２０ａの記録紙１２１ａは、給紙コロ１２２ａの給紙動作により繰り出され、レジストローラ１２３ａおよび１２３ｂに到達する。レジストローラ１２３ａおよび１２３ｂは初め停止しており、回転する転写ベルト１１９上のトナー像の位置に応じて所定のタイミングで回転を開始し、記録紙１２１ａを送り出す。
【００３２】
転写チャージャ１２４は不図示の正電圧の高圧発生装置に接続されており、転写ベルト１１９上のトナー像は、転写チャージャ１２４により、送り出された記録紙１２１ａに再転写される。なお、記録紙１２１ａにトナー像を再転写する時は、転写ベルト１１９のバイアスを解除して、再転写をすることもできる。
【００３３】
トナー像が再転写された記録紙１２１ａは、熱定着ユニット１２５ａおよび１２５ｂに送られ、そこでトナー像が記録紙１２１ａに固着され、カラー複写機１００外に排出される。
【００３４】
なお、転写後も感光体ドラム１１５の表面に残留したトナーはクリーニングユニット１２６で除去され、感光体ドラム１１５は次の動作に備える。また再転写後も、転写ベルト１１９の表面に残留したトナーはクリーニングユニット１２７で除去され、転写ベルト１１９は次の動作に備える構成となっている。
【００３５】
図２は、本発明の実施の形態にかかるカラー複写機の電気的構成を示すブロック図である。本発明の実施の形態にかかるカラー複写機１００は、スキャナユニット１０１と、画像処理ユニット１１１と、プリンタユニット１０２と、操作表示ユニット２０１と、システム制御ユニット２０３と、を含み構成されている。
【００３６】
スキャナユニット１０１は、ハロゲンランプ１０５ａ、１０５ｂと、ＣＣＤ１１０と、Ａ／Ｄ変換部２０８と、スキャナ制御部２０９と、キャリッジ駆動モータ２１０と、原稿サイズセンサ２１１と、を有しており、システム制御ユニット２０３の制御に基づき、原稿１０３を読み取ることができる。
【００３７】
プリンタユニット１０２は、ポリゴンモータ１１６と、現像ユニット１１８と、熱定着ユニット１２５ａ、１２５ｂと、ＬＤ駆動部２１９と、ＬＤ２２０と、プリンタ制御部２２１と、ドラム駆動モータ２２２と、ベルト駆動モータ２２３と、高圧電源２２４と、を有しており、システム制御ユニット２０３の制御に基づき、記録紙１２１ａまたは１２１ｂに画像を記録することができる。
【００３８】
画像処理ユニット１１１は、１次元ＬＵＴ部２１２、２３７と、像域分離部２１３と、画像処理制御部２１６と、フィルタ処理部２３１と、線形マスキング部２３２と、３次元ＬＵＴ部２３３と、ＧＣＲ（Ｇｒａｙ−Ｃｏｍｐｏｎｅｎｔ  Ｒｅｐｌａｃｅｍｅｎｔ）制御部２３４と、変倍処理部２３５と、フレームメモリ部２３６と、を有しており、システム制御ユニット２０３の制御に基づき、入力された画像信号に対して各種画像処理を実施することができる（画像処理については後述する）。
【００３９】
操作表示ユニット２０１は、ＴＰＤ（タッチ・パネル・ディスプレイ）２２６と、ＫＢ（キーボード）２２７と、操作表示制御部２２８と、を有しており、ユーザによる処理モードの選択などの入力の検出や表示を行うことができる。また、システム制御ユニット２０３は、カラー複写機１００全体の動作を制御している。
【００４０】
また、本発明の実施の形態にかかるカラー複写機１００は、ＬＡＮ（ローカル・エリア・ネットワーク）接続装置２０４と接続されており、ＬＡＮ２０５に接続されたＷＳ（ワークステーション）２０６やＰＣ（パーソナルコンピュータ）２０７などの他の機器と、ＬＡＮ接続装置２０４を介して画像信号の入出力を行うことができる。
【００４１】
まず、スキャナユニット１０１について説明する。スキャナユニット１０１のＣＣＤ１１０は入射光をＲＧＢ（赤緑青）の３色に色分解した後、光電変換して、３種類のアナログ画像信号をＡ／Ｄ変換部２０８に出力する。Ａ／Ｄ変換部２０８は、入力された画像信号をそれぞれデジタル信号に変換すると共に、ハロゲンランプ１０５ａおよび１０５ｂの原稿照明のむら、ＣＣＤ１１０内部の受光素子感度のむら、暗電位に対する補正などの処理も行う。したがってＡ／Ｄ変換部２０８は、入力された画像信号を、原稿の各色成分反射率にほぼ比例したデジタル信号に変換することができる。
【００４２】
また、スキャナ制御部２０９は、システム制御ユニット２０３と通信を行うと共に、スキャナユニット１０１全体を制御している。例えば、Ａ／Ｄ変換部２０８の動作制御、ハロゲンランプ１０５ａおよび１０５ｂの点灯制御、並びに、キャリッジ駆動モータ２１０の回転制御などを行う。また原稿サイズセンサ２１１は、プラテン１０４に置かれた原稿１０３の大きさを検出するセンサであって、その検出結果をスキャナ制御部２０９に出力している。
【００４３】
そして、Ａ／Ｄ変換部２０８はデジタル信号に変換した画像信号を、画像処理ユニット１１１の１次元ＬＵＴ部２１２および像域分離部２１３に出力する。
【００４４】
続いて画像処理ユニット１１１について説明する。１次元ＬＵＴ部２１２は、Ａ／Ｄ変換部２０８から入力される画像信号のγ特性を変換する回路であり、変換した画像信号をフィルタ処理部２３１に出力する。ここで行うγ特性の変換は、各色成分ごとに独立して行い、他の色成分は相互に参照しない。例えば各色成分は、ＲＧＢなどである。このため１次元ＬＵＴ部２１２のＬＵＴは１次元入力のＬＵＴで十分であり、各色成分に対応した１次元ＬＵＴで１次元ＬＵＴ部２１２は構成されている。なお、本実施の形態における１次元ＬＵＴ部２１２は、ＣＲＴ（Ｃａｔｈｏｄｅ  Ｒａｙ  Ｔｕｂｅ）のγ特性に応じたγ＝１／２．２のγ特性変換や、γ＝１／１．８や、あるいは濃度などに比例する特性変換を行う構成でもよい。
【００４５】
また、像域分離部２１３は、入力された画像信号に基づいて、処理を行っている画像部分が文字などの線画か否か、白黒画像かカラー画像かを判定する回路であって、その結果を示す判定信号をフィルタ処理部２３１に出力する。
【００４６】
フィルタ処理部２３１は、１次元ＬＵＴ部２１２からの画像信号を、像域分離部２１３の判定結果に基づいてエッジ強調や平滑化などの２次元フィルタ処理を行う。
【００４７】
例えばフィルタ処理部２３１は、像域分離部２１３からの判定信号が線画であればエッジ強調気味のフィルタ処理を行い、また、像域分離部２１３からの判定信号が非線画であれば平滑化気味のフィルタ処理を行う構成でもよい。
【００４８】
線形マスキング部２３２では、フィルタ処理部２３１からの画像信号に、次式に示すようなマトリクス演算を行って、別な画像信号に変換する。
【数１】
2006279100.tif 000003
【００４９】
ここで、Ｒｉ、Ｇｉ、Ｂｉが入力画像信号、Ｒｏ、Ｇｏ、Ｂｏが出力画像信号である。また、Ｘｒｒ、Ｘｒｇ、Ｘｒｂ、Ｘｇｒ、Ｘｇｇ、Ｘｇｂ、Ｘｂｒ、Ｘｂｇ、ＸｂｂおよびＲｃ、Ｇｃ、Ｂｃは定数あり、画像処理モードによって定まる。そうなると、ハロゲンランプ１０５ａおよび１０５ｂやＣＣＤ１１０の色分解フィルタなどによって定まる色分解系の分光感度は、等色感度であることが望ましい。しかしながら、上記分光感度を等色感度とすることは困難であるため、画像信号が同じでも、原稿１０３の種類（使用されている色材）により異なる色であったりするメタメリズムが発生する。なお、本実施の形態では、後述するように印刷写真や銀塩写真などの原稿１０３の種類を指定するための手段を用意し、指定された原稿１０３の種類に応じて、上式の定数を切り換え、メタメリズムの問題に対応している。これにより原稿１０３の種類（使用されている色材）が変わっても同じような色に変換可能となる。
【００５０】
次に、線形マスキング部２３２で変換された出力画像信号は、３次元ＬＵＴ部２３３に入力される。
【００５１】
３次元ＬＵＴ部２３３は、３次元入力のＬＵＴを含み、線形マスキング部２３２で、変換された出力画像信号を、シアン、マゼンタ、イエローのトナー量に関する信号に変換する処理を行い、変換した出力画像信号をＧＣＲ制御部２３４へ出力する。３次元ＬＵＴの概要は、例えば特開２００１−２０３９０３号公報に開示されている。
【００５２】
例えば、３次元ＬＵＴは、所定の間隔で区切られた３次元テーブルであり、各格子点上に変換後の値が存在するものであり、各格子点における入力信号Ａｉ（ｉ＝１〜ｎ）に対する出力信号Ａ’ｉの値が定義されている。３次元ＬＵＴ部２３３では、線形マスキング部２３２で変換された画像信号の入力に対して、入力点を囲む複数の格子点における入力信号Ａｉと出力信号Ａ’ｉに基づき、線形補間を実施する。
【００５３】
ＧＣＲ制御部２３４は、３次元ＬＵＴ部２３３で変換された出力画像信号から、ブラックトナー量に関する信号を生成すると共に、生成されたブラックトナー量に関する信号に基づいて、入力されたシアン、マゼンタ、イエローのトナー量に関して補正する処理を行う。
【００５４】
ブラックトナー量は、一般に、ゼロからシアン、マゼンタ、イエローの各トナー量の最小値までの範囲の量に設定される。また、より良好な画像を安定して得るために画像の特徴に基づいて決定することができる。例えば、前述の像域分離部２１３からの判定信号が線画で、かつ白黒画像であれば、ブラックトナーの量をシアン、マゼンタ、イエローの各トナー量の最小値、非線画またはカラー画像であれば最小値の７０％にする変換を行う。
【００５５】
変倍処理部２３５では、ＧＣＲ制御部２３４からの５種の信号を主走査方向に拡大あるいは縮小する変倍処理を行う。５種類の信号は、シアン、マゼンタ、イエロー、ブラックの各トナー量に関する信号と、像域分離部２１３からの判定信号である。なお、原稿１０３の副走査方向を拡大あるいは縮小する変倍処理は、キャリッジ駆動モータ２１０の回転制御により行う構成となっている。
【００５６】
フレームメモリ部２３６は、変倍処理部２３５からの５種類の信号を、１面分記録する回路であり、記録された画像信号は、静電潜像の形成、トナー像の転写動作に応じて、必要な信号が読み出される。
【００５７】
１次元ＬＵＴ部２３７は、γ補正処理および階調処理を行う回路であり、像域分離部２１３からの判定信号により制御されている。例えば、判定信号が線画であれば解像度を重視した階調処理を行い、非線画であれば階調性を重視した階調処理を行う。また階調処理の種類によってフレームメモリ部２３６に記録された画像信号の記録特性が変化するため、階調処理に連動して異なるγ補正処理も行う。
【００５８】
また、フレームメモリ部２３６はＬＡＮ接続装置２０４に接続されており、変倍処理部２３５から入力された画像信号をＬＡＭ接続装置２０４に出力する。あるいは、ＬＡＮ接続装置２０４から画像信号が入力される構成としてもよい。なお、設定によって変倍処理部２３５が、変倍処理部２３５で処理を施した画像信号をＬＡＮ接続装置２０４に出力する構成としてもよい。
【００５９】
また、画像処理制御部２１６では、システム制御ユニット２０３と通信を行うと共に、システム制御ユニット２０３からの要求に応じて、上述した１次元ＬＵＴ部２１２、像域分離部２１３、フィルタ処理部２３１、線形マスキング部２３２、３次元ＬＵＴ部２３３、ＧＣＲ制御部２３４、変倍処理部２３５、フレームメモリ部２３６、１次元ＬＵＴ部２３７の設定などを行い、画像処理ユニット１１１全体を制御している。
【００６０】
そして、１次元ＬＵＴ部２３７から出力された画像信号は、プリンタユニット１０２のＬＤ駆動部２１９に入力される。次に、プリンタユニット１０２について説明する。
【００６１】
まず、ＬＤ駆動部２１９は、入力された画像信号に応じてパルス幅変調やパワー変調などを行ってＬＤ２２０を駆動し、ＬＤ２２０の点灯強度を調整している。
【００６２】
また、プリンタ制御部２２１は、システム制御ユニット２０３と通信を行うと共に、プリンタユニット１０２全体を制御している。例えばＬＤ駆動部２１９を制御してＬＤ２２０を強制消灯したり、ポリゴンモータ１１６や、感光体ドラム１１５を回転駆動するドラム駆動モータ２２２や、転写ベルト１１９を回転駆動するベルト駆動モータ２２３などの回転制御を行う。また、現像ユニット１１８の現像部Ｋ、Ｃ、ＭおよびＹの選択制御、高圧電源２２４の各負荷（例えば帯電チャージャ１１７、現像ユニット１１８、転写ベルト１１９、転写チャージャ１２４など）ごとの出力制御、更に熱定着ユニット１２５ａ、１２５ｂの温度制御などを行う。
【００６３】
また、プリンタユニット１０２は、給紙カセット１２０ａおよび１２０ｂごとに、収納された記録紙１２１ａおよび１２１ｂの大きさを検出する不図示の紙サイズセンサを有している。そして、紙サイズセンサは、記録紙１２１ａおよび１２１ｂに関する検出結果をプリンタ制御部２２１に出力する構成である。
【００６４】
次に操作表示ユニット２０１について説明する。操作表示ユニット２０１は、原稿１０３上の所定の範囲や位置などを入力するための不図示のデジタイザを有している。またＴＰＤ２２６は、各種モードの選択肢や設定状態などを表示する表示部と表示部の押下位置を検出する検出部が一体となっている。またユーザは、ＫＢ２２７によってコピー枚数やコピー開始などを入力することができる。また、操作表示ユニット２０１は、画像ファイルが記録され着脱可能な画像記録メディアや、画像記録メディアを挿入可能な画像記録メディアスロットや、圧縮された画像ファイルの伸張する圧縮処理部などを含む構成でもよい。
【００６５】
操作表示制御部２２８は、操作表示ユニット２０１全体を制御する。操作表示制御部２２８は、ＴＰＤ２２６に各モードの選択肢などを表示したり（図３−１および図３−２参照）、不図示のデジタイザ、ＴＰＤ２２６およびＫＢ２２７からの入力を検出して、ＴＰＤ２２６に設定された状態を表示する。また、システム制御ユニット２０３と通信を行って、デジタイザやＴＰＤ２２６やＫＢ２２７の入力結果をスキャナユニット１０１や画像処理ユニット１１１やプリンタユニット１０２に送信するなどの動作を行う構成である。
【００６６】
図３−１は、本発明の実施の形態にかかるＴＰＤにおける表示画面（標準画面）例を示す図である。
【００６７】
カラー複写機１００の電源が投入されると、操作表示制御部２２８は初期状態になり、図３−１に示すような標準画面３００を表示する。図３−１の画面右側の表示部分３０１は、「印刷」、「印画紙」および「複写」など原稿モード選択用の領域であり、ユーザがこの表示部分を押下すると、それぞれ印刷原稿に適した印刷モード、印画紙原稿に適した印画紙モード、および、複写原稿に適した複写モードが選択される。
【００６８】
図３−２は、本発明の実施の形態にかかるＴＰＤにおける表示画面（「印刷」押下時）例を示す図である。例えばユーザは、図３−２における標準画面３００の右側の表示部分３０１に示された「印刷」の項目３１１を押下すると、操作表示制御部２２８は「印刷」の項目３１１を押下した操作を検出して、図示のように「印刷」の項目３１１を枠表示する。そして、「印刷」の項目３１１の枠表示により、印刷モード選択が認識されたことをユーザに伝える構成となっている。
【００６９】
続いて、操作表示制御部２２８は、システム制御ユニット２０３に印刷モード用の設定を要求する。システム制御ユニット２０３はこれを受けて画像処理制御部２１６に印刷モード用の設定を要求する。そして、画像処理制御部２１６は設定要求を受けて１次元ＬＵＴ部２１２、像域分離部２１３、フィルタ処理部２３１、線形マスキング部２３２などの設定を行う。例えば、これらの回路が印刷原稿を処理した時にメタメリズムに対応し、正しい色となる変換ができる。
【００７０】
なお、以上で説明した線形マスキング部２３２では、画像処理モードによってのみ定まる定数を用いて画像信号を変換したが、入力画像信号が示す色の色相にも応じた定数で、変換する構成としてもよい。例えば、入力画像信号（Ｒｉ、Ｇｉ、Ｂｉ）を相互に比較し、以下のような（１）〜（６）の６つに入力画像信号が示す色を区分する。
【００７１】
（１）Ｒｉ≦Ｇｉ≦Ｂｉ
（２）Ｇｉ≦Ｒｉ≦Ｂｉ
（３）Ｇｉ≦Ｂｉ≦Ｒｉ
（４）Ｂｉ≦Ｇｉ≦Ｒｉ
（５）Ｂｉ≦Ｒｉ≦Ｇｉ
（６）Ｒｉ≦Ｂｉ≦Ｇｉ
ここで、優先順位は（１）＞（２）＞（３）＞（４）＞（５）＞（６）である。
【００７２】
この場合、グレー時（Ｒｉ＝Ｇｉ＝Ｂｉ）は共通条件であり、その周囲を放射状に条件分割することになるので、色相に応じた分割をしたことになる。このようにすることでメタメリズムにより詳細な対応が可能となる。
【００７３】
以上説明したように、画像処理装置、画像処理方法および画像処理プログラムによれば、画像処理モードに基づいて、原稿読み取り時に発生するメタメリズムに対応した色変換をすることができる。また、入力画像信号の色相領域に基づいたマスキング処理を施すことができるため、読み取り原稿の正確な色再現ができる。
【００７４】
なお、本実施の形態で説明した画像処理方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００７５】
以上のように、本発明にかかる画像処理装置、画像処理方法および画像処理プログラムは、スキャナやファクシミリなどの画像処理装置に有用であり、特に、カラー複写機に適している。
【図面の簡単な説明】
【００７６】
【図１】本発明の実施の形態にかかるカラー複写機の側断面を示す図である。
【図２】本発明の実施の形態にかかるカラー複写機の電気的構成を示すブロック図である。
【図３−１】本発明の実施の形態にかかるＴＰＤにおける表示画面（標準画面）例を示す図である。
【図３−２】本発明の実施の形態にかかるＴＰＤにおける表示画面（「印刷」押下時）例を示す図である。
【符号の説明】
【００７７】
１００  カラー複写機
１０１  スキャナユニット
１０２  プリンタユニット
１０３  原稿
１０４  プラテン
１０５ａ、１０５ｂ  ハロゲンランプ
１０６  第１ミラー
１０７  第２ミラー
１０８  第３ミラー
１０９  レンズ
１１０  ＣＣＤ
１１１  画像処理ユニット
１１２  ポリゴンミラー
１１３  ｆθレンズ
１１４  第４ミラー
１１５  感光体ドラム
１１６  ポリゴンモータ
１１７  帯電チャージャ
１１８  現像ユニット
１１９  転写ベルト
１２０ａ、１２０ｂ  給紙カセット
１２１ａ、１２１ｂ  記録紙
１２２ａ、１２２ｂ  給紙コロ
１２３ａ、１２３ｂ  レジストローラ
１２４  転写チャージャ
１２５ａ、１２５ｂ  熱定着ユニット
１２６、１２７  クリーニングユニット
２０１  操作表示ユニット
２０３  システム制御ユニット
２０４  ＬＡＮ接続装置
２０５  ＬＡＮ
２０６  ＷＳ
２０７  ＰＣ
２０８  Ａ／Ｄ変換部
２０９  スキャナ制御部
２１０  キャリッジ駆動モータ
２１１  原稿サイズセンサ
２１２、２３７  １次元ＬＵＴ部
２１３  像域分離部
２１６  画像処理制御部
２１９  ＬＤ駆動部
２２０  ＬＤ
２２１  プリンタ制御部
２２２  ドラム駆動モータ
２２３  ベルト駆動モータ
２２４  高圧電源
２２６  ＴＰＤ
２２７  ＫＢ
２２８  操作表示制御部
２３１  フィルタ処理部
２３２  線形マスキング部
２３３  ３次元ＬＵＴ部
２３４  ＧＣＲ制御部
２３５  変倍処理部
２３６  フレームメモリ部
【図１】
2006279100.tif 000004
【図２】
2006279100.tif 000005
【図３−１】
2006279100.tif 000006
【図３−２】
2006279100.tif 000007